(57)【要約】【課題】通信装置、プログラム、通信方法、および通信システムを提供すること。【解決手段】１または２以上のコンテンツデータを記憶している記憶部と、電界結合または磁界結合により、前記１または２以上のコンテンツデータの名称情報を他の通信装置へ送信し、前記他の通信装置から前記名称情報の可否を示す応答を受信する通信部と、前記応答において前記名称情報が否定された場合に、前記１または２以上のコンテンツデータの名称を変更する名称変更部と、を備える通信装置であって、前記通信部は、前記応答において前記名称情報が否定された場合に、前記名称変更部により名称が変更された１または２以上のコンテンツデータを前記他の通信装置へ送信する。【選択図】図３
2010033159.tif 000002
【特許請求の範囲】
【請求項１】
１または２以上のコンテンツデータを記憶している記憶部と；
電界結合または磁界結合により、前記１または２以上のコンテンツデータの名称情報を他の通信装置へ送信し、前記他の通信装置から前記名称情報の可否を示す応答を受信する通信部と；
前記応答において前記名称情報が否定された場合に、前記１または２以上のコンテンツデータの名称を変更する名称変更部と；
を備え、
前記通信部は、前記応答において前記名称情報が否定された場合に、前記名称変更部により名称が変更された１または２以上のコンテンツデータを前記他の通信装置へ送信する、通信装置。
【請求項２】
前記通信装置は、
前記応答において前記名称情報が否定された場合に、名称の変更画面を生成する表示制御部と；
前記１または２以上のコンテンツデータの名称に対するユーザ入力を受け付ける入力部と；
をさらに備え、
前記名称変更部は、前記１または２以上のコンテンツデータの名称を、前記入力部へのユーザ入力に基づいて変更する、請求項１に記載の通信装置。
【請求項３】
前記応答が前記１または２以上のコンテンツデータの名称に対する指示を含む場合、前記名称変更部は前記指示に従って前記１または２以上のコンテンツデータの名称を変更する、請求項１に記載の通信装置。
【請求項４】
前記記憶部に記憶されている前記１または２以上のコンテンツデータの名称は、前記名称変更部による変更後の名称に更新される、請求項１に記載の通信装置。
【請求項５】
コンピュータを、
１または２以上のコンテンツデータを記憶している記憶部と；
電界結合または磁界結合により、前記１または２以上のコンテンツデータの名称情報を他の通信装置へ送信し、前記他の通信装置から前記名称情報の可否を示す応答を受信する通信部と；
前記応答において前記名称情報が否定された場合に、前記１または２以上のコンテンツデータの名称を変更する名称変更部と；
として機能させ、
前記通信部は、前記応答において前記名称情報が否定された場合に、前記名称変更部により名称が変更された１または２以上のコンテンツデータを前記他の通信装置へ送信する、プログラム。
【請求項６】
電界結合または磁界結合により、１または２以上のコンテンツデータの名称情報を他の通信装置へ送信するステップと；
前記他の通信装置から前記名称情報の可否を示す応答を受信するステップと；
前記応答において前記名称情報が否定された場合に、前記１または２以上のコンテンツデータの名称を変更するステップと；
前記応答において前記名称情報が否定された場合に、名称が変更された１または２以上のコンテンツデータを前記他の通信装置へ送信するステップと；
を含む、通信方法。
【請求項７】
第１の通信装置と；
１または２以上のコンテンツデータを記憶している記憶部、
電界結合または磁界結合により、前記１または２以上のコンテンツデータの名称情報を前記第１の通信装置へ送信し、前記第１の通信装置から前記名称情報の可否を示す応答を受信する通信部、および
前記応答において前記名称情報が否定された場合に、前記１または２以上のコンテンツデータの名称を変更する名称変更部を有し、
前記通信部は、前記応答において前記名称情報が否定された場合に、前記名称変更部により名称が変更された１または２以上のコンテンツデータを前記第１の通信装置へ送信する第２の通信装置と；
を備える、通信システム。
【請求項８】
１または２以上のコンテンツデータおよび当該コンテンツデータの付加情報を記憶している記憶部と；
電界結合または磁界結合により通信を行う通信部と；
前記通信部により他の通信装置の操作性を示す情報が受信されると、自装置の操作性と他の通信装置の操作性のいずれが高いかを判断する判断部と；
を備え、
前記他の通信装置の操作性の方が高いと前記判断部により判断された場合、前記記憶部に記憶されている付加情報を前記通信部から前記他の通信装置へ送信し、
前記他の通信装置の操作性の方が低いと前記判断部により判断された場合、自装置において前記付加情報に対するユーザ操作を受け付ける、通信装置。
【発明の詳細な説明】
【技術分野】
【０００１】
本発明は、通信装置、プログラム、通信方法、および通信システムに関する。
【背景技術】
【０００２】
近日、電界結合や磁界結合を利用して通信を行う近距離無線通信方式が提案されている。かかる近距離無線通信方式においては、例えば、磁界結合を行なう複数の通信装置が近接されると、複数の通信装置が磁界結合し、磁界結合により複数の通信装置間での通信が実現される。このように、電界結合や磁界結合に基づく近距離無線通信方式によれば、通信相手が近接しない場合には信号が送信されないため、干渉の問題が生じ難い点で電波通信方式より有利である。また、近距離無線通信方式によれば、例えば携帯電話やデジタルカメラ間で容易に写真データなどのコンテンツデータを交換することができる。
【０００３】
また、特許文献１には、第１の通信装置から写真データが転送され、当該当該写真データと同一名称の写真データが記録済みである場合、転送された写真データの名称を変更して記録する第２の通信装置が記載されている。
【０００４】
【特許文献１】特開２００５−３３７１０号公報
【発明の開示】
【発明が解決しようとする課題】
【０００５】
しかし、従来の通信装置では、写真データの名称がどのように変更されたかをユーザが明確に把握できないため、転送された写真データの検索が困難であるという問題があった。また、第２の通信装置においてユーザ操作による写真データの名称変更を可能とする構成も考えられるが、第２の通信装置のユーザによる操作能力の不足や、ユーザインターフェース性能により、第２の通信装置における上記変更が困難である場合が想定された。
【０００６】
そこで、本発明は、上記問題に鑑みてなされたものであり、本発明の目的とするところは、送信元装置または受信先装置のいずれかにおける名称変更のための操作入力が困難な場合であっても、円滑に名称を変更してコンテンツデータを送信することが可能な、新規かつ改良された通信装置、プログラム、通信方法、および通信システムを提供することにある。
【課題を解決するための手段】
【０００７】
上記課題を解決するために、本発明のある観点によれば、１または２以上のコンテンツデータを記憶している記憶部と、電界結合または磁界結合により、前記１または２以上のコンテンツデータの名称情報を他の通信装置へ送信し、前記他の通信装置から前記名称情報の可否を示す応答を受信する通信部と、前記応答において前記名称情報が否定された場合に、前記１または２以上のコンテンツデータの名称を変更する名称変更部と、を備える通信装置が提供される。より詳細には、前記通信部は、前記応答において前記名称情報が否定された場合に、前記名称変更部により名称が変更された１または２以上のコンテンツデータを前記他の通信装置へ送信する。
【０００８】
前記通信装置は、前記応答において前記名称情報が否定された場合に、名称の変更画面を生成する表示制御部と、前記１または２以上のコンテンツデータの名称に対するユーザ入力を受け付ける入力部と、をさらに備え、前記名称変更部は、前記１または２以上のコンテンツデータの名称を、前記入力部へのユーザ入力に基づいて変更してもよい。
【０００９】
前記応答が前記１または２以上のコンテンツデータの名称に対する指示を含む場合、前記名称変更部は前記指示に従って前記１または２以上のコンテンツデータの名称を変更してもよい。
【００１０】
前記記憶部に記憶されている前記１または２以上のコンテンツデータの名称は、前記名称変更部による変更後の名称に更新されてもよい。
【００１１】
また、上記課題を解決するために、本発明の別の観点によれば、コンピュータを、１または２以上のコンテンツデータを記憶している記憶部と、電界結合または磁界結合により、前記１または２以上のコンテンツデータの名称情報を他の通信装置へ送信し、前記他の通信装置から前記名称情報の可否を示す応答を受信する通信部と、前記応答において前記名称情報が否定された場合に、前記１または２以上のコンテンツデータの名称を変更する名称変更部と、として機能させるためのプログラムが提供される。より詳細には、前記通信部は、前記応答において前記名称情報が否定された場合に、前記名称変更部により名称が変更された１または２以上のコンテンツデータを前記他の通信装置へ送信する。
【００１２】
また、上記課題を解決するために、本発明の別の観点によれば、電界結合または磁界結合により、１または２以上のコンテンツデータの名称情報を他の通信装置へ送信するステップと、前記他の通信装置から前記名称情報の可否を示す応答を受信するステップと、前記応答において前記名称情報が否定された場合に、前記１または２以上のコンテンツデータの名称を変更するステップと、前記応答において前記名称情報が否定された場合に、名称が変更された１または２以上のコンテンツデータを前記他の通信装置へ送信するステップと、を含む通信方法が提供される。
【００１３】
また、上記課題を解決するために、本発明の別の観点によれば、第１の通信装置と、１または２以上のコンテンツデータを記憶している記憶部、電界結合または磁界結合により、前記１または２以上のコンテンツデータの名称情報を前記第１の通信装置へ送信し、前記第１の通信装置から前記名称情報の可否を示す応答を受信する通信部、および前記応答において前記名称情報が否定された場合に、前記１または２以上のコンテンツデータの名称を変更する名称変更部を有し、前記通信部は、前記応答において前記名称情報が否定された場合に、前記名称変更部により名称が変更された１または２以上のコンテンツデータを前記第１の通信装置へ送信する第２の通信装置と、を備える通信システムが提供される。
【００１４】
また、上記課題を解決するために、本発明の別の観点によれば、１または２以上のコンテンツデータおよび当該コンテンツデータの付加情報を記憶している記憶部と、電界結合または磁界結合により通信を行う通信部と、前記通信部により他の通信装置の操作性を示す情報が受信されると、自装置の操作性と他の通信装置の操作性のいずれが高いかを判断する判断部と、を備える通信装置が提供される。より詳細には、当該通信装置は、前記他の通信装置の操作性の方が高いと前記判断部により判断された場合、前記記憶部に記憶されている付加情報を前記通信部から前記他の通信装置へ送信し、前記他の通信装置の操作性の方が低いと前記判断部により判断された場合、自装置において前記付加情報に対するユーザ操作を受け付ける。
【発明の効果】
【００１５】
以上説明したように本発明にかかる通信装置、プログラム、通信方法、および通信システムによれば、送信元装置または受信先装置のいずれかにおける名称変更のための操作入力が困難な場合であっても、円滑に名称を変更してコンテンツデータを送信することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
また、以下に示す項目順序に従って当該「発明を実施するための最良の形態」を説明する。
〔１〕第１の実施形態
〔１−１〕第１の実施形態にかかる通信システムの概要
〔１−２〕ハードウェア構成
〔１−３〕第１の実施形態にかかる通信システムの機能
〔１−４〕第１の実施形態にかかる通信システムの動作
〔２〕第２の実施形態
〔２−１〕第２の実施形態にかかる通信システムの概要
〔２−２〕第２の実施形態にかかる通信システムの機能
〔２−３〕第２の実施形態にかかる通信システムの動作
〔３〕補足
【００１８】
〔１〕第１の実施形態
〔１−１〕第１の実施形態にかかる通信システムの概要
まず、図１を参照し、本発明の第１の実施形態にかかる通信システム１の概要を説明する。
【００１９】
図１は、本発明の第１の実施形態にかかる通信システム１を示した説明図である。図１に示したように、本実施形態にかかる通信システムは、携帯電話２０および撮像装置３０（一対の通信装置）からなる。携帯電話２０および撮像装置３０は、相互に電界結合することが可能な電界カプラと呼ばれる電極板を備える。携帯電話２０および撮像装置３０の双方の電界カプラが例えば３ｃｍ以内に近接されると、一方の電界カプラにより発生される誘導電界の変化を他方の電界カプラが感知することにより、携帯電話２０および撮像装置３０の間での電界通信が実現される。
【００２０】
より具体的には、上記電界通信を行う一対の機器は、一方がイニシエータ（Ｉｎｉｔｉａｔｏｒ）として機能し、他方がレスポンダ（Ｒｅｓｐｏｎｄｅｒ）として機能する。イニシエータは接続確立要求を行なう側であり、レスポンダはイニシエータからの接続確立要求を待ち受ける側である。
【００２１】
例えば、図１に示した撮像装置３０がイニシエータとして機能し、携帯電話２０がレスポンダとして機能する場合、携帯電話２０および撮像装置３０が近接されると、撮像装置３０から送信される接続確立要求を携帯電話２０が受信する。そして、携帯電話２０により接続確立要求が受信されると、携帯電話２０および撮像装置３０が接続確立処理の一例としての認証処理を行い、認証処理が正常に終了すると携帯電話２０および撮像装置３０がデータ通信可能な状態に接続される。認証処理としては、例えば、ソフトウェアのバージョンや、有するプロトコルを示すエミュレーション方式が携帯電話２０および撮像装置３０で一致するか否かの確認などがあげられる。
【００２２】
その後、携帯電話２０および撮像装置３０が１対１でデータ通信を行う。より詳細には、撮像装置３０が任意のデータを電界カプラにより携帯電話２０へ送信する。または、携帯電話２０が任意のデータを電界カプラにより撮像装置３０へ送信する。任意のデータとしては、音楽、講演およびラジオ番組などの音楽データや、映画、テレビジョン番組、ビデオプログラム、写真、文書、絵画および図表などの映像データや、ゲームおよびソフトフェアなどのコンテンツデータがあげられる。
【００２３】
アンテナから放射される電波が距離の２乗に反比例して減衰するのに対し、このような電界カプラから発生される誘導電界の強度は距離の４乗に反比例するため、電界通信が可能な一対の通信装置間の距離を制限できる点で有利である。すなわち、当該電界通信によれば、周囲に存在する障害物による信号の劣化が少ない、ハッキングや秘匿性を確保するための技術を簡素化できるなどの効果が得られる。
【００２４】
また、アンテナから放射される電波は、電波の進行方向と直交方向に振動する横波成分を有し、偏波がある。これに対し、電界カプラは、進行方向に振動する縦波成分を有し、偏波がない誘導電界を発生するため、一対の電界カプラの面が対向していれば受信側で信号を受信できる点でも利便性が高い。
【００２５】
なお、本明細書においては、一対の通信装置（携帯電話２０および撮像装置３０）が電界カプラを利用して近距離無線通信（非接触通信）を行う例に重きをおいて説明するが、本発明はかかる例に限定されない。例えば、一対の通信装置は、磁界結合により通信可能な通信部を介して近距離無線通信を行うことも可能である。
【００２６】
また、図１においては通信装置の一例として携帯電話２０および撮像装置３０を示しているに過ぎず、本発明はかかる例に限定されない。例えば、通信装置は、ＰＣ（Ｐｅｒｓｏｎａｌ  Ｃｏｍｐｕｔｅｒ）、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器などの情報処理装置であってもよい。
【００２７】
（本実施形態に至る経緯）
このような携帯電話２０および撮像装置３０のユーザが異なる場合、ユーザ間で写真データを共有するために、携帯電話２０および撮像装置３０間で写真データを送受信することが想定される。ここで、受信先装置に同一名称の写真データが存在する場合や、受信先装置のユーザが他の名称を所望する場合、写真データの名称を変更することが好ましい。
【００２８】
しかし、受信先装置でのみ写真データの名称変更を可能とすると、例えば受信先装置のユーザが入力操作に長けていない場合や、受信先装置のインターフェース能力が低い場合、写真データの名称変更を円滑に行なうことができないという問題があった。送信元装置でのみ写真データの名称変更を可能としても同様の問題が生じる。
【００２９】
そこで、上記事情を一着眼点にして本実施形態にかかる通信システム１を創作するに至った。当該通信システム１によれば、送信元装置または受信先装置のいずれかにおける名称変更のための操作入力が困難な場合であっても、円滑に名称を変更してコンテンツデータを送信することができる。以下、このような通信システム１についての詳細な説明を進める。
【００３０】
〔１−２〕ハードウェア構成
次に、図２を参照し、本実施形態にかかる携帯電話２０のハードウェア構成について説明する。
【００３１】
図２は、携帯電話２０のハードウェア構成を示したブロック図である。携帯電話２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００３２】
ＣＰＵ２０１は、演算処理装置および制御装置として機能し、各種プログラムに従って携帯電話２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００３３】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３４】
入力装置２０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ２０１に出力する入力制御回路などから構成されている。携帯電話２０のユーザは、該入力装置２０８を操作することにより、携帯電話２０に対して各種のデータを入力したり処理動作を指示したりすることができる。
【００３５】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３６】
ストレージ装置２１１は、データ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。
【００３７】
ドライブ２１２は、記憶媒体用リーダライタであり、携帯電話２０に内蔵、あるいは外付けされる。ドライブ２１２は、装着されている磁気ディスク、光ディスク、光磁気ディスク、または半導体メモリ等のリムーバブル記録媒体２４に記録されている情報を読み出して、ＲＡＭ２０３に出力する。
【００３８】
通信装置２１５は、例えば、通信網１２に接続するための通信デバイス等で構成された通信インタフェースである。具体的には、通信装置２１５は、電話通信およびメール通信などを行うためのアンテナや無線チップなどの装置、および近距離無線通信を行うための電界カプラ（図３における電界カプラＣ）などに該当する。
【００３９】
なお、上記では図２を参照して携帯電話２０のハードウェア構成について説明したが、撮像装置３０のハードウェアは携帯電話２０と実質的に同一に構成することが可能であるため、説明を省略する。
【００４０】
〔１−３〕第１の実施形態にかかる通信システムの機能
続いて、図３および図４を参照し、第１の実施形態にかかる通信システム１を構成する携帯電話２０および撮像装置３０について詳細に説明する。
【００４１】
図３は、第１の実施形態にかかる通信システム１を構成する携帯電話２０および撮像装置３０の機能ブロック図である。図３に示したように、携帯電話２０は、電界カプラＣ１（通信部）と、近接通信制御部２１６と、記憶部２２０と、表示部２２４と、操作部２２８と、名称変更部２３２と、を備える。また、撮像装置３０は、電界カプラＣ２と、近接通信制御部３１６と、記憶部３２０と、表示部３２４と、操作部３２８と、を備える。
【００４２】
携帯電話２０の近接通信制御部２１６は、電界カプラＣ１と撮像装置３０の間での近接通信全般を制御する。例えば、近接通信制御部２１６は、接続確立処理のための接続用データを生成し、電界カプラＣから送信可能な信号形式に変換する。また、近接通信制御部２１６は、記憶部２２０から入力される写真データを電界カプラＣ１から送信可能な信号形式に変換する。また、近接通信制御部２１６は、電界カプラＣ１により受信されたデータの復号処理を行う。例えば、近接通信制御部２１６は、高周波信号として電界カプラＣ１により受信されたデータをベースバンド信号にダウンコンバージョンし、コンスタレーションに基づいてビット列を得てもよい。
【００４３】
記憶部２２０には、外部から取得された写真データや、携帯電話２０により撮像された写真データが記憶されている。記憶部２２０において、写真データは例えば図４に示す構造で管理されている。
【００４４】
図４は、記憶部２２０における写真データの管理構造の一例を示した説明図である。図４に示したように、ルートフォルダ７０の下位に複数の写真フォルダ７１、７２、７３・・・が配されており、写真フォルダ７１の下位に複数の写真データＭＯＢ００１．ｊｐｇ、ＭＯＢ００２．ｊｐｇ、ＭＯＢ００３．ｊｐｇ・・・が配されている。なお、「ＭＯＢ００１．ｊｐｇ」、「ＭＯＢ００２．ｊｐｇ」、「ＭＯＢ００３．ｊｐｇ」は各写真データに付されている名称である。
【００４５】
ここで、ユーザは、写真フォルダ７１、７２、７３・・・ごとに撮像装置３０への送信対象とすることができる。例えば、ユーザにより写真フォルダ７１が撮像装置３０への送信対象として指定された場合、後述する名称変更部２３２は、写真フォルダ７１内の写真データの名称に含まれる「ＭＯＢ」という共通の語を、「ｏｎｓｅｎ」という語に一括的に変更することができる。
【００４６】
なお、このような記憶部２２０は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００４７】
表示部２２４は、各種画面を生成する表示制御部としての機能を有し、かつ、生成した画面を表示する。例えば、表示部２２４は、送信対象とする写真データを指定するための画面や、写真データの名称を変更するための画面などを生成することができる。
【００４８】
操作部２２８（入力部）は、携帯電話２０とユーザのインターフェースである。ユーザは、かかる操作部２２８を操作することにより、携帯電話２０へ各種データや各種指示を入力することができる。
【００４９】
名称変更部２３２は、１または２以上の写真データの名称を一括的に変更する。例えば、名称変更部２３２は、１または２以上の写真データの一部の語を、操作部２２８へ入力された語、または近接通信制御部２１６により撮像装置３０から受信された語に変更する。
【００５０】
撮像装置３０の近接通信制御部３１６は、携帯電話２０の近接通信制御部２１６と同様に、電界カプラＣ２と携帯電話２０の間での近接通信全般を制御する。例えば、近接通信制御部３１６は、接続確立処理のための接続用データを生成し、電界カプラＣ２から送信可能な信号形式に変換する。また、近接通信制御部３１６は、電界カプラＣ２により受信されたデータの復号処理を行う。例えば、近接通信制御部３１６は、高周波信号として電界カプラＣ２により受信されたデータをベースバンド信号にダウンコンバージョンし、コンスタレーションに基づいてビット列を得てもよい。
【００５１】
記憶部３２０は、携帯電話２０から受信した写真データや、撮像装置３０において撮像された写真データなどが記録される。当該記憶部３２０は、携帯電話２０の記憶部２２０と同様に、不揮発性メモリ、磁気ディスク、光ディスク、およびＭＯディスクなどの記憶媒体であってもよい。
【００５２】
表示部３２４は、各種画面を生成する表示制御部としての機能を有し、かつ、生成した画面を表示する。例えば、表示部３２４は、写真データの名称を変更するための画面や、受信する写真データの名称の可否を入力するための画面を生成することができる。
【００５３】
操作部３２８（入力部）は、撮像装置３０とユーザのインターフェースである。ユーザは、かかる操作部３２８を操作することにより、撮像装置３０へ各種データや各種指示を入力することができる。
【００５４】
判断部３３６は、携帯電話２０から写真データに先立って送信される写真データの名称情報の可否を判断する。ここで、名称情報は、携帯電話２０において送信対象とされている写真データの名称（ＭＯＢ００１．ｊｐｇなど）そのものであっても、送信対象とされている写真データに含まれる共通の語（ＭＯＢ）であってもよい。そして、判断部３３６は、名称情報に基づき、携帯電話２０において送信対象とされている写真データの名称が既に記憶部３２０に記録されているか否かを判断し、既に記録されている場合には当該名称情報を不可とする。
【００５５】
〔１−４〕第１の実施形態にかかる通信システムの動作
次に、図５および図６を参照し、第１の実施形態にかかる通信システム１の動作例を説明する。
【００５６】
図５は、第１の実施形態にかかる通信システム１の第１の動作例を示したシーケンス図である。図５に示したように、まず、携帯電話２０の記憶部２２０に記憶されている写真フォルダのうちで、操作部２２８へのユーザ操作により送信対象の写真フォルダが指定される（Ｓ４０４）。その後、ユーザにより、操作部２２８を介して送信対象の写真フォルダに含まれる写真データの名称案（例えば、ｏｎｓｅｎ）が入力され（Ｓ４０８）、携帯電話２０と撮像装置３０が近接されると、接続確立処理が行なわれる（Ｓ４１２、Ｓ４１６、Ｓ４２０）。
【００５７】
より詳細には、携帯電話２０が接続確立要求（Ｃ−Ｒｅｑ）を送信し（Ｓ４１２）、撮像装置３０が接続確立要求に対する応答（Ｃ−ＡＣＣ）を送信し（Ｓ４１６）、携帯電話２０が当該応答に対する確認信号（Ｃ−Ａｃｋ）を送信する（Ｓ４２０）。なお、図５においては携帯電話２０がイニシエータとして機能し、撮像装置３０がレスポンダとして機能する例を示しているが、携帯電話２０がレスポンダとして機能し、撮像装置３０がイニシエータとして機能してもよい。
【００５８】
その後、携帯電話２０がＳ４０８における入力に基づく名称情報を撮像装置３０へ送信すると（Ｓ４２４）、撮像装置３０の判断部３３６が当該名称情報の可否を判断する（Ｓ４２８）。そして、当該名称情報が不可であると判断部３３６により判断され、ユーザにより名称変更が希望されないと、近接通信制御部３１６が当該名称情報の否定を示す応答を携帯電話２０へ送信する（Ｓ４３２）。具体的には、当該名称情報が不可であると判断部３３６により判断されると、表示部３２４が「名称変更を行ないますか？  ＹＥＳ  ＮＯ」というユーザに名称変更の希望の有無を問う画面を表示してもよい。そして、ユーザにより「ＮＯ」が選択された場合にはＳ４３２の処理に進み、ユーザにより「ＹＥＳ」が選択された場合には図６のＳ４８２の処理に進んでもよい。
【００５９】
携帯電話２０の表示部２２４は、撮像装置３０により名称情報を否定されると、写真データの名称変更画面を表示する（Ｓ４３６）。当該名称変更画面においてユーザにより新たな名称が操作部２２８へ入力されると、名称変更部２３２が送信対象の写真フォルダに含まれる写真データの名称を一括的に変更する（Ｓ４４０）。そして、携帯電話２０は、名称が変更された写真データを撮像装置３０へ送信し（Ｓ４４４）、撮像装置３０は携帯電話２０から送信された写真データを記憶部３２０に記憶する（Ｓ４４８）。
【００６０】
このように、第１の動作例においては、撮像装置３０のユーザに強いる入力操作が抑制されるため、撮像装置３０のユーザが入力操作に長けていない場合、または撮像装置３０の操作部３２８の操作性が低い場合であっても円滑に写真データの名称を変更できる。
【００６１】
図６は、第１の実施形態にかかる通信システム１の第２の動作例を示したシーケンス図である。まず、携帯電話２０の記憶部２２０に記憶されているいずれかの写真フォルダがユーザ操作により送信対象として指定され（Ｓ４５４）、携帯電話２０と撮像装置３０が近接されると、接続確立処理が行なわれる（Ｓ４６２、Ｓ４６６、Ｓ４７０）。
【００６２】
その後、送信対象として指定された写真フォルダに含まれる写真データの名称情報を携帯電話２０が撮像装置３０へ送信すると（Ｓ４７４）、撮像装置３０の判断部３３６が当該名称情報の可否を判断する（Ｓ４７８）。そして、当該名称情報が不可であると判断部３３６により判断され、ユーザにより名称変更が希望されると、表示部３２４が写真データの名称変更画面を表示する（Ｓ４８２）。当該名称変更画面においてユーザにより新たな名称が操作部３２８へ入力されると（Ｓ４８６）、Ｓ４８６における入力に基づく新たな名称情報を撮像装置３０が携帯電話２０へ送信する（Ｓ４８８）。なお、当該新たな名称情報の送信は、Ｓ４７４において携帯電話２０から送信された名称情報を否定することと等価と捉えることができる。
【００６３】
続いて、携帯電話２０の名称変更部２３２が、撮像装置３０から受信した名称情報に基づき送信対象の写真データの名称を変更し（Ｓ４９０）、名称変更後の写真データが携帯電話２０から撮像装置３０へ送信される（Ｓ４９２）。そして、撮像装置３０は、携帯電話２０から送信された写真データを記憶部３２０に記憶する（Ｓ４９４）。
【００６４】
このように、第２の動作例においては、携帯電話２０のユーザに強いる入力操作が抑制されるため、携帯電話２０のユーザが入力操作に長けていない場合、または携帯電話２０の操作部２２８の操作性が低い場合であっても円滑に写真データの名称を変更できる。
【００６５】
（第１の実施形態の補足）
なお、上記では、写真データが写真フォルダ単位で送信対象とされる例を説明したが、本実施形態はかかる例に限定されない。例えば、携帯電話２０は、ユーザにより指定された写真データを送信対象としても、取得時刻が所定範囲内である写真データを送信対象としても、所定の特徴量を有する写真データを送信対象としてもよい。
【００６６】
また、上記では、送信対象の写真データが共通の語を含み、名称変更部２３２が当該共通の語を他の語に変更する例を説明したが、本実施形態はかかる例に限定されない。例えば、名称変更部２３２は、送信対象の写真データの前半を操作部２２８に入力された新たな語または撮像装置３０から指定された語に変更し、送信対象の写真データで連番となる識別番号を後半に付してもよい。
【００６７】
また、携帯電話２０は、記憶部２２０に記憶されている写真データの名称を、名称変更部２３２による変更後の名称に更新してもよい。かかる構成によれば、同一の写真データが携帯電話２０および撮像装置３０で同一の名称で管理されるため、携帯電話２０および撮像装置３０のユーザが異なる場合であっても、同一の写真データの名称により同一の写真データに至ることが可能となる。
【００６８】
また、第１の動作例におけるＳ４２８、および第２の動作例におけるＳ４７８において名称情報が可であると判断された場合、撮像装置３０はその旨を携帯電話２０へ送信し、携帯電話２０は名称を変更することなく写真データを送信してもよい。また、上記では携帯電話２０から撮像装置３０へ写真データを送信する例を説明したが、撮像装置３０に名称変更部２３２と同等の機能を実装することにより、撮像装置３０から携帯電話２０へ写真データを同様に送信することも可能である。
【００６９】
また、上記では名称情報や、名称情報の可否に関する情報を接続確立処理後に送受信する例を説明したが、本実施形態はかかる例に限定されない。例えば、名称情報をＣ−Ｒｅｑへ含ませ、名称情報の可否に関する情報をＣ−ＡＣＣに含ませてもよい。
【００７０】
〔２〕第２の実施形態
以上、図１〜図６を参照して第１の実施形態にかかる通信システム１について説明した。続いて、図７〜図１１を参照し、第２の実施形態にかかる通信システム２について説明する。
【００７１】
〔２−１〕第２の実施形態にかかる通信システムの概要
図７は、本発明の第２の実施形態にかかる通信システム２を示した説明図である。当該通信システム２は複数の通信装置からなる。通信装置は、装置種別に応じ、キーボードの有無やディスプレイの大きさなどのユーザインターフェース性能が異なる。図７においては、通信装置の一例としてＰＣ１０、およびＰＣ１０よりインターフェース性能が劣る撮像装置３１を示している。
【００７２】
撮像装置３１には写真データ、および写真データのファイル情報が記憶されている。ここで、ファイル情報は、写真データの取得日時、名称、データフォーマット、データ容量、サムネイルなどの付加情報を含む。
【００７３】
また、撮像装置３１およびＰＣ１０は、第１の実施形態と同様に、相互に電界結合することが可能な電界カプラと呼ばれる電極板を備える。撮像装置３１およびＰＣ１０の双方の電界カプラが例えば３ｃｍ以内に近接されると、一方の電界カプラにより発生される誘導電界の変化を他方の電界カプラが感知することにより、撮像装置３１およびＰＣ１０の間での電界通信が実現される。
【００７４】
このような通信システム２においては、ユーザが、撮像装置３１からＰＣ１０への一部の写真データの送信を所望する場合がある。この場合、ユーザが、撮像装置３１に記憶されている写真データから送信対象とする写真データを選択する必要が生じるが、本実施形態によれば、当該選択をユーザインターフェース性能が優れるＰＣ１０において行なうことが可能である。また、このような通信システム２においては、ユーザが、撮像装置３１に記憶されている写真データのファイル情報の編集や整理を所望する場合がある。この場合においても、本実施形態によれば、ファイル情報の編集や整理をユーザインターフェース性能が優れるＰＣ１０において行なうことが可能である。以下、このような第２の実施形態にかかる通信システム２について図８〜図１１を参照して詳細に説明する。
【００７５】
〔２−２〕第２の実施形態にかかる通信システムの機能
図８は、第２の実施形態にかかる通信システム２を構成するＰＣ１０および撮像装置３１の機能ブロック図である。図８に示したように、ＰＣ１０は、電界カプラＣ３（通信部）と、近接通信制御部１１６と、記憶部１２０と、表示部１２４と、操作部１２８と、操作性判断部１５０と、を備える。また、撮像装置３１は、電界カプラＣ２と、近接通信制御部３１６と、記憶部３２０と、表示部３２４と、操作部３２８と、操作性判断部３５０と、を備える。
【００７６】
ＰＣ１０の近接通信制御部１１６は、電界カプラＣ３と撮像装置３１の間での近接通信全般を制御する。例えば、近接通信制御部１１６は、接続確立処理のための接続用データを生成し、電界カプラＣ３から送信可能な信号形式に変換する。また、近接通信制御部１１６は、電界カプラＣ３により受信されたデータの復号処理を行う。例えば、近接通信制御部１１６は、高周波信号として電界カプラＣ３により受信されたデータをベースバンド信号にダウンコンバージョンし、コンスタレーションに基づいてビット列を得てもよい。
【００７７】
より詳細には、近接通信制御部１１６は、接続確立処理時に、撮像装置３１との間で続確立要求（Ｃ−Ｒｅｑ）、接続確立要求に対する応答（Ｃ−ＡＣＣ）、および確認信号（Ｃ−Ａｃｋ）などの接続用データを送受信する。以下、図９を参照し、本実施形態における接続用データの構成例を説明する。
【００７８】
図９は、第２の実施形態における接続用データの概略構成を示した説明図である。図９に示したように、第２の実施形態における接続用データは、送信元装置ＩＤ、フレームタイプ、および操作性レベルなどを含む。フレームタイプには、例えば続確立要求（Ｃ−Ｒｅｑ）、接続確立要求に対する応答（Ｃ−ＡＣＣ）、または確認信号（Ｃ−Ａｃｋ）を示す情報が記載される。
【００７９】
また、操作性レベルは、当該接続用データの送信元装置のユーザインターフェースの性能を示す。例えば、操作性レベルは、最もレベルが低い「１」〜最もレベルが高い「５」の５段階で表現されてもよい。一般に、ＰＣ１０の方が撮像装置３１よりユーザインターフェースの性能（操作性）が高いため、ＰＣ１０が送信する接続用データに記載される操作性レベルは、撮像装置３１が送信する接続用データに記載される操作性レベルより高くなることが想定される。また、携帯電話、またはＰＣなどの装置種別からもユーザインターフェースの性能を推測できるため、操作性レベルは送信元装置の装置種別を示す情報であってもよい。また、操作性レベルは、送信元装置の製造時に設定されても、ユーザにより設定されてもよい。
【００８０】
記憶部１２０は、撮像電話３１から受信した写真データが記録される。当該記憶部１２０は、第１の実施形態にかかる携帯電話２０の記憶部２２０と同様に、不揮発性メモリ、磁気ディスク、光ディスク、およびＭＯディスクなどの記憶媒体であってもよい。
【００８１】
表示部１２４は、各種画面を生成する表示制御部としての機能を有し、かつ、生成した画面を表示する。例えば、表示部１２４は、撮像装置３１との間で送受信する写真データの選択画面や、写真データの名称を変更するための画面を生成することができる。
【００８２】
操作部１２８（入力部）は、ＰＣ１０とユーザのインターフェースである。ユーザは、かかる操作部１２８を操作することにより、ＰＣ１０へ各種データや各種指示を入力することができる。
【００８３】
操作性判断部１５０は、撮像装置３１から送信された接続用データに記載されている操作性レベルに基づき、ＰＣ１０と撮像装置３１のいずれの操作性が高いかを判断する。そして、ＰＣ１０は、具体的には図１０および図１１を参照して説明するように、操作性判断部１５０により操作性が高いと判断された装置においてファイル情報に対するユーザ操作が可能となるよう動作する。
【００８４】
同様に、撮像装置３１の操作性判断部３５０は、ＰＣ１０から送信された接続用データに記載されている操作性レベルに基づき、ＰＣ１０と撮像装置３１のいずれの操作性が高いかを判断する。そして、撮像装置３１は、具体的には図１０および図１１を参照して説明するように、操作性判断部３５０により操作性が高いと判断された装置においてファイル情報に対するユーザ操作が可能となるよう動作する。
【００８５】
〔２−３〕第２の実施形態にかかる通信システムの動作
図１０は、第２の実施形態にかかる通信システム２の第１の動作例を示したシーケンス図である。より詳細には、図１０には、撮像装置３１がイニシエータとして機能し、ＰＣ１０がレスポンダとして機能し、撮像装置３１からＰＣ１０へ選択的に写真データが送信される例を示している。
【００８６】
図１０に示したように、まず、撮像装置３１がＰＣ１０へ接続確立要求（Ｃ−Ｒｅｑ）を送信し（Ｓ５０４）、ＰＣ１０が接続確立要求に対する応答（Ｃ−ＡＣＣ）を送信し（Ｓ５０８）、撮像装置３１が確認信号（Ｃ−Ａｃｋ）を送信する（Ｓ５１２）。ここで、接続確立要求（Ｃ−Ｒｅｑ）には撮像装置３１の操作性レベルが記載され、応答（Ｃ−ＡＣＣ）にはＰＣ１０の操作性レベルが記載される。撮像装置３１の操作性判断部３５０は、かかるＰＣ１０の操作性レベルに基づき、自装置とＰＣ１０のいずれの操作性が高いかを判断する（Ｓ５１６）。以下では、操作性判断部３５０により、ＰＣ１０の操作性の方が高いと判断された場合を説明する。
【００８７】
ＰＣ１０の操作性の方が高いと操作性判断部３５０により判断されると、撮像装置３１は、記憶部３２０に記憶されている写真データのサムネイルをＰＣ１０へ送信する（Ｓ５２０）。ＰＣ１０は、撮像装置３１からサムネイルを受信すると、受信したサムネイルを表示部１２４に表示する（Ｓ５２４）。当該表示に基づき、ユーザがＰＣ１０の操作部１２８を利用し、撮像装置３１からＰＣ１０への送信対象とする写真データのサムネイルを選択することが可能となる（Ｓ５２８）。そして、ＰＣ１０がユーザにより選択されたサムネイルを示す選択情報を撮像装置３１へ送信し（Ｓ５３２）、撮像装置３１がユーザにより選択されたサムネイルに対応する写真データを記憶部３２０から読出してＰＣ１０へ送信する。その後、ＰＣ１０は、撮像装置３１から受信した写真データを記憶部１２０に記憶する（Ｓ５４０）。
【００８８】
図１１は、第２の実施形態にかかる通信システム２の第２の動作例を示したシーケンス図である。より詳細には、図１１には、ＰＣ１０がイニシエータとして機能し、撮像装置３１がレスポンダとして機能し、ＰＣ１０から撮像装置３１へ選択的に写真データが送信される例を示している。
【００８９】
図１１に示したように、まず、ＰＣ１０が撮像装置３１へ接続確立要求（Ｃ−Ｒｅｑ）を送信し（Ｓ５５４）、撮像装置３１が接続確立要求に対する応答（Ｃ−ＡＣＣ）を送信し（Ｓ５５８）、ＰＣ１０が確認信号（Ｃ−Ａｃｋ）を送信する（Ｓ５６２）。ここで、接続確立要求（Ｃ−Ｒｅｑ）にはＰＣ１０の操作性レベルが記載され、応答（Ｃ−ＡＣＣ）には撮像装置３１の操作性レベルが記載される。ＰＣ１０の操作性判断部１５０は、かかる撮像装置３１の操作性レベルに基づき、自装置と撮像装置３１のいずれの操作性が高いかを判断する（Ｓ５６６）。以下では、操作性判断部１５０により、ＰＣ１０（自装置）の操作性の方が高いと判断された場合を説明する。
【００９０】
ＰＣ１０の操作性の方が高いと操作性判断部１５０により判断されると、ＰＣ１０は、記憶部１２０に記憶されている写真データのサムネイルを表示部１２４に表示する（Ｓ５７０）。当該表示に基づき、ユーザがＰＣ１０の操作部１２８を利用し、撮像装置３１からＰＣ１０への送信対象とする写真データのサムネイルを選択することが可能となる（Ｓ５７４）。そして、ＰＣ１０は、ユーザにより選択されたサムネイルに対応する写真データを記憶部１２０から読出して撮像装置３１へ送信し（Ｓ５７８）、撮像装置３１は、ＰＣ１０から受信した写真データを記憶部３２０に記憶する（Ｓ５８２）。
【００９１】
〔３〕補足
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９２】
例えば、本明細書の携帯電話２０、撮像装置３０および３１、ＰＣ１０の処理における各ステップは、必ずしもシーケンス図として記載された順序に沿って時系列に処理する必要はない。例えば、携帯電話２０、撮像装置３０および３１、ＰＣ１０の処理における各ステップは、並列的あるいは個別に実行される処理（例えば、並列処理あるいはオブジェクトによる処理）を含んでもよい。
【００９３】
また、携帯電話２０、撮像装置３０および３１、ＰＣ１０に内蔵されるハードウェアを、上述した携帯電話２０、撮像装置３０および３１、ＰＣ１０の各構成と同等の機能を発揮させるためのコンピュータプログラムも作成可能である。また、該コンピュータプログラムを記憶させた記憶媒体も提供される。また、図３および図８の機能ブロック図で示したそれぞれの機能ブロックをハードウェアで構成することで、一連の処理をハードウェアで実現することもできる。
【図面の簡単な説明】
【００９４】
【図１】本発明の第１の実施形態にかかる通信システムを示した説明図である。
【図２】携帯電話のハードウェア構成を示したブロック図である。
【図３】第１の実施形態にかかる通信システムを構成する携帯電話および撮像装置の機能ブロック図である。
【図４】記憶部における写真データの管理構造の一例を示した説明図である。
【図５】第１の実施形態にかかる通信システムの第１の動作例を示したシーケンス図である。
【図６】第１の実施形態にかかる通信システムの第２の動作例を示したシーケンス図である。
【図７】本発明の第２の実施形態にかかる通信システムを示した説明図である。
【図８】第２の実施形態にかかる通信システムを構成するＰＣおよび撮像装置の機能ブロック図である。
【図９】第２の実施形態における接続用データの概略構成を示した説明図である。
【図１０】第２の実施形態にかかる通信システムの第１の動作例を示したシーケンス図である。
【図１１】第２の実施形態にかかる通信システムの第２の動作例を示したシーケンス図である。
【符号の説明】
【００９５】
１０      ＰＣ
２０      携帯電話
３０、３１    撮像装置
１１６、２１６、３１６    近接通信制御部
１２０、２２０、３２０    記憶部
１２４、２２４、３２４    表示部
１２８、２２８、３２８    操作部
１５０、３５０    操作性判断部
２３２    名称変更部
３３６    判断部
【図１】
2010033159.tif 000003
【図２】
2010033159.tif 000004
【図３】
2010033159.tif 000005
【図４】
2010033159.tif 000006
【図５】
2010033159.tif 000007
【図６】
2010033159.tif 000008
【図７】
2010033159.tif 000009
【図８】
2010033159.tif 000010
【図９】
2010033159.tif 000011
【図１０】
2010033159.tif 000012
【図１１】
2010033159.tif 000013